(57)【特許請求の範囲】
【請求項１】
内部に人台形を形成した金型と、前記人台形の所望の位置に、溶融したプラスチックの流れ込みを阻止する閉塞手段とを有する人台本体の製造装置において、前記金型が１対の上下型からなり、前記上下型の一方に前記人台形の前半部の凹部が、また他方に前記人台形の後半部の凹部が穿設され、さらに前記閉塞手段が大きさの異なる複数の入れ子と上げ底用ブロックを固定した上げ底用入れ子からなり、前記各入れ子および前記上げ底用ブロックの各上端面に補強底板が当接されたことを特徴とする人台本体の製造装置。
【請求項２】
各入れ子が金属製で、しかもそれぞれ透孔を有する小判型の薄板を離間するとともに四隅を４本の円柱で連結したことを特徴とする請求項１の人台本体の製造装置。
【請求項３】
各入れ子は平面状の前面を有する中実のブロックであることを特徴とする請求項１の人台本体の製造装置。
【請求項４】
各入れ子は平面状の前面を有する中空のブロックであることを特徴とする請求項１の人台本体の製造装置。
【発明の詳細な説明】
【技術分野】
【０００１】
本発明は被服の陳列や製作のために使用する人台の本体製造装置に関する。
【背景技術】
【０００２】
従来より丈の異なる人台を製造するには各丈に対応する金型をそれぞれ製造して成形するか、最長尺用の金型を製造して最長尺の人台本体を成形し、金型から前記人台本体を取出した後に後加工、つまり人台本体を切断して所望の丈の人台を形成していた。
【０００３】
【特許文献１】特開２０００−１６６７２６号公報
【発明の開示】
【発明が解決しようとする課題】
【０００４】
前記の従来前例によると金型数が多くなり、高価につき、また従来後例によると後加工としての人台本体の切断を必要とし、迅速、容易かつ確実に製造することができないという欠点がある。
【０００５】
本発明は前記従来例の欠点を解消することを課題とする。
【課題を解決するための手段】
【０００６】
本発明の第１の手段は内部に人台形を形成した金型と、前記人台形の所望の位置に、溶融したプラスチックの流れ込みを阻止する閉塞手段とを有する人台本体の製造装置において、前記金型が１対の上下型からなり、前記上下型の一方に前記人台形の前半部の凹部が、また他方に前記人台形の後半部の凹部が穿設され、さらに前記閉塞手段が大きさの異なる複数の入れ子と上げ底用ブロックを固定した上げ底用入れ子からなり、前記入れ子および前記底用ブロックの上端面に補強底板が当接されたことを特徴とするものである。
【０００７】
第２の手段は前記第１の手段に加えて、各入れ子が金属製で、しかもそれぞれ透孔を有する小判型の薄板を離間するとともに四隅を４本の円柱で連結したことを特徴とするものである。
【０００８】
第３の手段は前記第１の手段に加えて、各入れ子は平面状の前面を有する中実のブロックであることを特徴とするものである。
【０００９】
第４の手段は前記第１の手段に加えて、各入れ子は平面状の前面を有する中空のブロックであることを特徴とするものである。
【発明の効果】
【００１０】
本発明によれば所望の丈の人台本体を多種類の金型を製造、使用することなく、しかも切断という後加工をする必要もなく、迅速、容易かつ確実に得ることができる。
【００１１】
また補強底板を上げ底用ブロックに当接し、しかも前記上げ底用ブロックを固定した上げ底用入れ子を使用して人台本体を製造した場合には、シャツ等の裾を上げ底内に折り返して止めることができ、展示服の外観を良好にしたり、前記上げ底内にスタンドのポールの締結金具等の部品を位置させて隠蔽し、外観を良好にすることができる。
【発明を実施するための最良の形態】
【００１２】
図１は中実型人台本体の製造装置を示すものであり、符号７は金型で、上型１７と下型１８とからなり、上型１７には人台形６の後半分６ｃの凹部６ｄおよび注入孔１９が穿設され、首部１の外端には半円状の凹部２３が切欠かれ、また下型１８には人台形６の前半部６ａの凹部６ｂが穿設され、人台形６は首部１、バスト部２、ウエスト部３、ヒップ部４およびヒップ部４に連続して延出する延出部５とからなり、下型１８の首部１の外端には貫通孔２４を有する厚肉円盤２０が一体的に形成されている。延出部５の外端には透孔２１を有する右側板２２が固着されて垂直に起立し、金型７を閉じたときに下型１８のみならず上型１７の開口端を閉じるように形成されている。
【００１３】
一方、インサート部品として注入口１９に嵌入される栓２５、遊挿孔１４を有する首蓋２６、おねじ２７、透孔１１′、１２′、１３′を有する硬質プラスチック製若しくは木製で、かつ大、中、小３種類の第１の補強底板１１、第２の補強底板１２、第３の補強底板１３が具備されている。  
【００１４】
他の部品として貫通孔２４に嵌脱自在で、しかもおねじ２７を螺着するねじ孔２８′を有する突軸２８、大、小の入れ子８ｂ、８ａ、上げ底用入れ子８ｃおよび上げ底用ブロック８ｄ、ナット３２、３２が具備されている。
【００１５】
各入れ子８ａ、８ｂ、８ｃは金属製で、しかもそれぞれ透孔２９、２９′を有する小判形の薄板３０、３０′を離間するとともに四隅を4本の円柱３３、３３、３３、３３で連結したものである。なお各入れ子８ａ、８ｂ、８ｃは上記形状に限るものではなく、前面が前記薄板３０の前面のように平面に形成されていればよく、例えば前記平面状の前面を有する中実若しくは中空のブロックでもよいが、図示のような４本円柱３３、３３、３３、３３タイプのものが、安価に製造できるとともに軽量で取扱いやすく、好ましい。  
【００１６】
上げ底用ブロック８ｄは小判形の外鍔板３４に薄肉の小判形で、かつ円錐状のブロック３５が一体的に突き出され、ブロック３５に貫通孔３６が穿設され、しかも外鍔板３４の裏面に遊挿孔３１、３１に遊挿可能なボルト軸３７、３７が突設されている。
【００１７】
なお図中、符号１５は蒸気噴出棒であり、中空管１５ａに多数の噴出孔１５ｂ、１５ｂ・・・を穿設してなるものである。
【００１８】
次に前記装置の使用方法を説明すれば、図２〜４および図８で示すようにいずれも厚肉円盤２０に首蓋２６を当接するとともに突軸２８を貫通孔２４に嵌入し、突軸２８のねじ孔２８′におねじ２７を螺着する。
【００１９】
具体的には図５で示す最長尺の人台本体１０を得たい場合には、図２・８の実線で示すように下型１８に閉塞手段８を入れず右側板２２の内向面に第１の補強底板１１を当接し、また前記最長尺以外の所望の丈の人台本体１０、例えば図６で示すヒップ部４までの人台本体１０を得たい場合には、図３の実線で示すように入れ子８ａの薄板３０′を右側板２２の内向面に当接して下型１８に嵌入し、図６の仮想線で示すようにウエスト部３近傍までの人台本体１０を得たい場合には、図３で示すように右側板２２の内向面に仮想線で示す入れ子８ｂの薄板３０′を当接して下型１８に嵌入し、また図７のように上げ底１６を有する人台本体１０を得たい場合には、図４、図１で示すように上げ底用ブロック８ｄの各ボルト３７を各遊挿孔３１に挿入し、ナット３２締めした上げ底用入れ子８ｃの薄板３０′を右側板２２の内向面に当接して下型１８に入れる。
【００２０】
また入れ子８ａ、入れ子８ｂの各薄板３０の内向面には第１の補強底板１１、第２の補強底板１２を、また上げ底用ブロック８ｄの内向面には第３の補強底板１３を当接する。なお入れ子８ａ、８ｂ、８ｃの各薄板３０および各補強底板１１、１２は人台形６の各位置の輪郭面に添接する大きさに形成してある。
【００２１】
そして最長尺の人台本体１０を形成する際には閉塞手段８を下型１８内に入れず、前記丈より短い所望丈の人台本体１０を形成する際には、人台形６の前記所望のいずれかの位置に閉塞手段８を下型１８内に入れ、しかる後、蒸気噴出棒１５を透孔２１、１１′、透孔２１、２９′、２９、１１′若しくは透孔２１、２９′、２９、１２′若しくは透孔２１、２９′、２９、３６、１３′に貫通する。次に図８で示すように下型１８と上型１７とを閉じ、発泡剤を含有したビーズ状のプラスチック、具体的にはスチロール樹脂Ｐをいったん加熱して予備発泡し、注入孔１９から空隙９に充填し、栓２５で注入孔１９を閉栓した後、蒸気噴出棒１５に蒸気を送り込み、噴出孔１５ｂ、１５ｂ・・・・・から蒸気を噴出させて再加熱し、発泡成形された人台本体１０を形成する。その後、蒸気噴出棒１５および栓２５、突軸２８を抜き、離型する。続いて入れ子８ａ、８ｂ、上げ底用入れ子８ｃを入れた場合にはそれらを取外す。このとき第１の補強底板１１、第２の補強底板１２、第３の補強底板１３はそれぞれ右側板２２、入れ子８ａ、８ｂ、上げ底用ブロック８ｄに当接しているだけなのでインサートされて人台本体１０に固着する。首蓋２６、おねじ２７も同様にインサートされているので人台本体１０と一体になる。
【００２２】
このようにして図５〜７で示すように丈が異なったり、上げ底１６を有する所望の人台本体１０を得ることができる。
【００２３】
なお前記人台本体１０は載置タイプとして使用しても、また蒸気噴出棒１５により形成された孔３９にスタンドパイプ４０を挿入してスタンド付き人台として使用してもよく、上げ底１６を有する人台本体１０には上げ底１６内にワイシャツの裾を折り込んで止めたり、スタンドパイプの締結金具を入れて外部から遮蔽してもよい。
【００２４】
なお人台形６の形状は前記首部１〜延出部５に至る場合に限定するものではなく、例えば上端が頭部形状、延出部５が他の形状である等、所望の形状であってもよい。
【図面の簡単な説明】
【００２５】
【図１】本発明の実施の形態を示す分解斜視図である。
【図２】同上において最長寸の人台本体を製造するときの下型の組立斜視図である。
【図３】同上における入れ子を入れた状態の下型の組立斜視図である。
【図４】同上における上げ底用入れ子を入れた状態の下型の組立斜視図である。
【図５】最長寸に成形された人台本体の斜視図である。
【図６】入れ子の使用により形成された人台本体の斜視図である。
【図７】上げ底用入れ子の使用により形成された人台本体の斜視図である。
【図８】同上における本発明装置の使用方法の概略説明図である。
【符号の説明】
【００２６】
６    人台形
６ａ  前半部
６ｂ  凹部
６ｃ  後半部
６ｄ  凹部
７  金型
８    閉塞手段
８ａ  入れ子
８ｂ  入れ子
８ｃ  上げ底用入れ子
８ｄ  上げ底用ブロック
９  空隙
１０  人台本体
１１  補強底板
１２  補強底板
１３  補強底板
１７  上型
１８  下型
Ｐ  プラスチック
【図１】
0004063759.tif 000002
【図２】
0004063759.tif 000003
【図３】
0004063759.tif 000004
【図４】
0004063759.tif 000005
【図５】
0004063759.tif 000006
【図６】
0004063759.tif 000007
【図７】
0004063759.tif 000008
【図８】
0004063759.tif 000009